(57)【要約】      （修正有）【課題】リュックサックとしての実用性を保ちつつ、手提げかばんとしての使い勝手も良好なかばんを提供する。【解決手段】かばん本体１に手提げ用の持ち手と背負い用の肩ベルトとが着脱可能に取り付けられる構造を有するかばんであって、かばん本体１は、前パネル部４と後パネル部とマチ形成帯部６とで構成される。前パネル部４の上縁と左右両側縁および下縁とにマチ形成帯部６の一方の側縁と係合可能な線ファスナ７，８が備えられるとともに、後パネル部の上縁と左右両側縁および下縁とにマチ形成帯部６の他方の側縁と係合可能な線ファスナ１５，１６が備えられる。そして、かばん本体１の上部に位置するマチ形成帯部６に内部に連通する開口穴が形成されている。【選択図】図１
2020039450.tif 000002
【特許請求の範囲】
【請求項１】
かばん本体に手提げ用の持ち手と背負い用の肩ベルトとが着脱可能に取り付けられる構造を有するかばんであって、
前記かばん本体は、前パネル部と、後パネル部と、マチ形成帯部とで構成され、
前記前パネル部の上縁と左右両側縁および下縁のそれぞれに、前記マチ形成帯部の一方の側縁と係合分離可能な線ファスナが備えられるとともに、
前記後パネル部の上縁と左右両側縁および下縁のそれぞれに、前記マチ形成帯部の他方の側縁と係合分離可能な線ファスナが備えられ、かつ、
前記マチ形成帯部は、前記前パネル部および後パネル部の上縁に係合される帯状部位に、かばん本体の内部に連通する開口穴が形成されていることを特徴とするかばん。
【請求項２】
前記前パネル部および後パネル部の上縁が、それぞれ左右両側縁の上端から上方に突出する台形状または円弧状の形状を呈し、これら突出する部分がそれぞれ前記かばん本体の内側に折り曲げ可能なフラップ部とされていることを特徴とする請求項１に記載のかばん。
【請求項３】
前記前パネル部および後パネル部の各内側面には、それぞれのフラップ部の上縁に備えられた線ファスナと係合分離可能に構成されたフラップ固定用の線ファスナが備えられていることを特徴とする請求項２に記載のかばん。
【請求項４】
前記手提げ用の持ち手は、前記前パネル部および後パネル部の各フラップ部の折り目近くの下方位置に取り付けられることを特徴とする請求項２または３に記載のかばん。
【請求項５】
前記マチ形成帯部の開口穴は、該マチ形成帯部の長手方向にスリット状に開口されるとともに、該開口穴を開閉自在に閉じる上部開閉用の線ファスナが備えられていることを特徴とする請求項１から４のいずれかに記載のかばん。
【請求項６】
前記マチ形成帯部の長手方向両端縁のそれぞれには、該両端縁を係合分離可能に連結す連結用の線ファスナが備えられていることを特徴とする請求項１から５のいずれかに記載のかばん。
【発明の詳細な説明】
【技術分野】
【０００１】
この発明はかばんに関し、より詳細には、用途に応じてリュックサック、トートバックおよび書類かばんとして使用できるかばんに関する。
【背景技術】
【０００２】
近年、通勤や通学にリュックサックを使用する者が増えている。
通勤や通学に使用されるリュックサックは、登山やキャンプなどのいわゆるアウトドア用のリックサックとは異なり、日常での使用を前提に製造されている。
【０００３】
そのため、この種のリュックサックのなかには、手提げかばんとして使用（兼用）できるように、手提げ用の持ち手が備えられたものが提案されている（たとえば、特許文献１参照）。
【先行技術文献】
【特許文献】
【０００４】
【特許文献１】特開平２００６−２９６５６０号公報
【発明の概要】
【発明が解決しようとする課題】
【０００５】
しかしながら、手提げかばんと兼用可能な従来のリュックサックには以下のような問題があった。
【０００６】
すなわち、通常、リュックサックは、主たる収容部（メインコンパートメント）が縦長であり、主たる収容部への荷物の出し入れは、当該収容部の上端に設けられた開口部を開くことによって行われる。そのため、主たる収容部の上部に手提げ用の持ち手を設けると、リュックサックとして使用する際に、持ち手が荷物の出し入れの邪魔になるおそれがある。
【０００７】
したがって、この種のリュックサックでは、持ち手を側面に取り付け、手提げかばんとして使用する際には、主たる収容部を横長に使用する構造や、あるいは、収容部の上端の開口部の背面側にのみ持ち手を設け、開口部の正面側には持ち手を設けない構造が採用されることが多い。
【０００８】
しかし、前者では、手提げかばんとして用いる場合、リュックサックが横倒しで使用されるため、リュックサック内部に設けられた主たる収容部以外の収容部（たとえば、ポケットなど）に収容された物品が収容部からこぼれ出たりする問題がある。また、後者の構成では、開口部の片方にしか持ち手がないため。手提げかばんとして使用する際のバランスが悪く持ち難い一方で、重量物を収容すると開口部を閉じる線ファスナなどに多大な負荷がかかり、線ファスナなどを破損するおそれがあるといった問題がある。
【０００９】
加えて、日常での使用のうちには、薄手の物（たとえば、書類などの紙類）や小さなもの（たとえば、財布や鍵など）だけを持ち歩くこと、すなわち、マチのないかばんで十分に用が足りることも多くあるが、従来の手提げ兼用のリュックサックでは、嵩が大きすぎてこのような小容量の荷物運搬の用途には適さないという問題もあった。
【００１０】
本発明は、このような問題点に鑑みてなされたものであって、その目的とするところは、リュックサックとしての実用性を保ちつつ、手提げかばんとしての使い勝手も良好なかばんを提供することにある。
【課題を解決するための手段】
【００１１】
上記目的を達成するため、本発明の請求項１に係るかばんは、かばん本体に手提げ用の持ち手と背負い用の肩ベルトとが着脱可能に取り付けられる構造を有するかばんであって、上記かばん本体は、前パネル部と、後パネル部と、マチ形成帯部とで構成され、上記前パネル部の上縁と左右両側縁および下縁のそれぞれに、上記マチ形成帯部の一方の側縁と係合分離可能な線ファスナが備えられるとともに、上記後パネル部の上縁と左右両側縁および下縁のそれぞれに、上記マチ形成帯部の他方の側縁と係合分離可能な線ファスナが備えられ、かつ、上記マチ形成帯部は、上記前パネル部および後パネル部の上縁に係合される帯状部位に、かばん本体の内部に連通する開口穴が形成されていることを特徴とする。
【００１２】
この請求項１に係るかばんによれば、手提げ用の持ち手と背負い用の肩ベルトとがかばん本体に着脱可能に取り付けられているので、手提げかばんとして使用する場合には、肩ベルトを取り外して手提げ用の持ち手を装着することによってかばん本体を手提げかばんとして使用できる一方、リュックサック（背負いかばん）として使用する場合には、持ち手を取り外して背負い用の肩ベルトを装着することによってかばん本体をリュックサックとして使用できる。
【００１３】
また、かばん本体のマチ（幅）は、前パネル部と後パネル部とに係合分離可能に係合されるマチ形成帯部によって形成されるので、マチ形成帯部を取り外して、前パネル部と後パネル部とを係合することによって、かばん本体のマチを狭くすることができる。
【００１４】
このように、請求項１に係るかばんによれば、かばん本体を手提げかばんとして使用したり、リュックサックとして使用することができ、しかも、かばん本体のマチ幅の広狭を適宜調節できるので、使用の目的や用途などに合わせて自由にカスタマイズすることができる。
【００１５】
本発明の請求項２に係るかばんは、上記前パネル部および後パネル部の上縁が、それぞれ左右両側縁の上端から上方に突出する台形状または円弧状の形状を呈し、これら突出する部分がそれぞれ上記かばん本体の内側に折り曲げ可能なフラップ部とされていることを特徴とする。
【００１６】
この請求項２に係るかばんによれば、前パネル部および後パネル部の上縁部分がかばん本体の内側に折り曲げ可能なフラップ部とされているので、かばん本体を手提げかばんとして使用する場合、このフラップ部を内側に折り曲げることで、かばん本体（前パネル部および後パネル部）の上縁に備えられた線ファスナのムシ（務歯）をかばん本体内に収容できる。そのため、かばん本体の上端開口部の周縁にムシが露出せず周縁がなめらかになり、かばん本体への荷物の出し入れを容易かつなめらかに行うことができるようになる。
【００１７】
本発明の請求項３に係るかばんは、上記前パネル部および後パネル部の各内側面には、それぞれのフラップ部の上縁に備えられた線ファスナと係合分離可能に構成されたフラップ固定用の線ファスナが備えられていることを特徴とする。
【００１８】
この請求項３に係るかばんによれば、かばん本体の内側に折り曲げたフラップ部を、前パネル部および後パネル部の各内側に備えられたフラップ固定用の線ファスナと係合させることができる。これにより、かばん本体の内側に折り曲げたフラップ部がかばん本体内部でふらつくことが防止され、かばん本体内の収容部を有効に利用することができる。
【００１９】
本発明の請求項４に係るかばんは、上記手提げ用の持ち手は、上記前パネル部および後パネル部の各フラップ部の折り目近くの下方位置に取り付けられることを特徴とする。
【００２０】
この請求項４に係る発明によれば、手提げ用の持ち手が、前パネル部および後パネル部の各フラップ部の折り目近くの下方位置に備えられるので、かばん本体を手提げかばんとして使用する場合であっても、リュックサックのときと同じ向きで（つまり、かばん本体の向きを縦横で変更することなく）かばん本体を使用することができる。そのため、リュックサックから手提げ、または、手提げからリュックサックに使い方を変更することがあっても、かばん本体内に収容された物品がかばん本体内で転がりったりすることがない。特に、かばん本体内に設けられる内ポケットなどの収容部に収容された物品が該収容部からこぼれ出たりするのを防止することができる。
【００２１】
本発明の請求項５に係るかばんは、上記マチ形成帯部の開口穴が、該マチ形成帯部の長手方向にスリット状に開口されるとともに、該開口穴を開閉自在に閉じる上部開閉用の線ファスナが備えられていることを特徴とする。
【００２２】
この請求項５に係るかばんによれば、マチ形成帯部の開口穴を開閉自在に閉じる線ファスナが備えられているので、かばん本体をリュックサックとして使用する場合に、この線ファスナの開くことによって荷物の出し入れを行うことができるとともに、この線ファスナを閉じることによってかばん本体内部に収容された荷物が外部に飛び出すのを防止することができる。
【００２３】
本発明の請求項６に係るかばんは、上記マチ形成帯部の長手方向両端縁のそれぞれには、該両端縁を係合分離可能に連結す連結用の線ファスナが備えられていることを特徴とする。
【００２４】
この請求項６に係るかばんによれば、マチ形成帯部の長手方向両端縁を連結用の線ファスナで連結することができる。これにより、マチ形成帯部の連結部から荷物がこぼれ出るのを防止することができる。
【発明の効果】
【００２５】
本発明によれば、かばん本体を手提げかばんとして使用したり、リュックサックとして使用することができ、しかも、かばん本体のマチ幅の広狭を適宜調節できるので、使用の目的や用途などに合わせて自由にカスタマイズすることができる。そのため、使い勝手の優れたかばんを提供することができる。
【００２６】
また、本発明によれば、手提げ用の持ち手がフラップ部の折り目近くの下方位置に取り付けられるので、手提げかばんとして使用する場合とリュックサックとして使用する場合とでかばん本体の向きは変らない。そのため、かばん本体の使い方を変更しても、かばん本体内に収容された物品がかばん本体内で転がったりすることがない。したがって、本発明によれば、リュックサックとしての実用性を保ちつつ、手提げかばんとしても利用できるかばんを提供することができる。
【図面の簡単な説明】
【００２７】
【図１】本発明に係るかばんをリュックサックとして使用する場合の一例を示す斜視図である。
【図２】同かばんを手提げかばん（トートバック）として使用する場合の一例を示す斜視図である。
【図３】同かばんをマチのない手提げかばん（書類かばん）として使用する場合の一例を示す斜視図である。
【図４】同かばんの前パネル部の一例を示しており、図４（ａ）は前パネル部の外側からみた正面図を、図４（ｂ）はフラップ部を折り曲げた状態の背面図を示している。
【図５】同かばんの後パネル部の一例を示しており、図５（ａ）は後パネル部を外側からみた正面図を、図５（ｂ）はフラップ部を折り曲げた状態を示す背面図を示している。
【図６】同かばんのマチ形成帯部の一例を示し、同マチ形成帯部を展開した状態を示す正面図である。
【図７】同かばんの肩ベルトの一例を示す正面図である。
【図８】同かばんの持ち手持ち手装着部の一例を示し、図８（ａ）は持ち手装着部の正面図を、図８（ｂ）は持ち手装着部の巻き付け装着帯を模式的に示した部分拡大断面図を、図８（ｃ）は持ち手の取り付け手順を模式的に示した説明図を示している。
【発明を実施するための形態】
【００２８】
以下、本発明の実施形態を図面に基づいて詳細に説明する。
本発明に係るかばんは、かばん本体１に手提げ用の持ち手２，２と背負い用の肩ベルト３，３とが着脱可能に取り付けられる構造を備え、用途に応じて、リュックサック、トートバックまたは書類かばんとして使用することができるようにしたものである。
【００２９】
かばん本体１は、前パネル部４と、後パネル部５と、マチ形成帯部６とを主要部として構成される。かばん本体１は、これらのパーツと上記持ち手２および肩ベルト３の組み合わせによって、図１から図３に示すように、リュックサック、トートバック、書類かばんに形を変えて使用できるようになっている。
【００３０】
前パネル部４は、かばん本体１をリュックサックとして使用した際に、後方（背中とは反対側）に面するパーツであって、図４（ａ）に示すように、略矩形を呈する形状とされ、たとえば、布や皮革などの屈曲自在な柔軟性を有する部材で構成されている。
【００３１】
そして、この前パネル部４は、その上縁４ａと、左右両側縁４ｂ，４ｄおよび下縁４ｃのそれぞれに、マチ形成帯部６の一方の側縁６ｂと係合分離可能な線ファスナ７ａ，８ａが備えられている。
【００３２】
具体的には、前パネル部４の上縁４ａに備えられる線ファスナ７ａは、マチ形成帯部６において、かばん本体１の天井部を構成する部位（図６符号Ａで示すエリア）の一方の側縁６ｂに備えられる線ファスナ７ｂと対をなすオープンファスナ７の形態とされている。
【００３３】
一方、前パネル部４の左右両側縁４ｂ，４ｄおよび下縁４ｃに備えらえる線ファスナ８ａは、マチ形成帯部６において、かばん本体１の両側部および底部を構成する部位（図６符号Ｂ〜Ｄで示すエリア）の一方の側縁６ｂに備えられる線ファスナ８ｂと対をなすオープンファスナ８の形態とされている。なお、この線ファスナ８ａは、前パネル部４の左側縁４ｂから下縁４ｃを経て右側縁４ｄにかけて連続する１本のファスナで構成されている。
【００３４】
そして、本実施形態では、前パネル部４は、その上縁４ａが、それぞれ左右両側縁４ｂ，４ｄの上端から上方に突出する台形状を呈し、この突出する台形状の部分が前パネル部４の裏面側、すなわち、かばん本体１の内側に折り曲げ可能なフラップ部９を構成している。
【００３５】
これは、かばん本体１をトートバックとして使用する際（図２参照）に、かばん本体１の上端開口部の周縁に線ファスナ７ａのムシ（務歯）が露出しないようにするためである。すなわち、かばん本体１をトートバックとして使用する場合、図２に示すように、フラップ部９を裏面側に折り曲げることで、線ファスナ７ａのムシが周縁に露出するのを防止し、かばん本体１への荷物の出し入れを容易にしている。
【００３６】
そして、これに関連して、前パネル部４の裏面において、折り返されたフラップ部９の上縁４ａに対応する位置には、フラップ部９の上縁４ａに備えられた線ファスナ７ａと係合分離可能に構成されたフラップ固定用の線ファスナ１０が備えられている。したがって、フラップ部９を折り返した際には、フラップ部９の線ファスナ７ａをこの線ファスナ１０に係合させることによって、フラップ部９を前パネル４の裏面に固定することができ、フラップ部９がかばん本体１内でふらつく（揺動する）のを防止できるようになっている。
【００３７】
また、前パネル部４の表面には、着脱可能に持ち手２を取り付けるための持ち手装着帯部１１が備えられている。この持ち手装着帯部１１は、図４（ａ）に示すように、フラップ部９の折り返し位置である折り目４ｅに沿って設けられる矩形帯状の部材で構成されており、折り目４ｅ近くのやや下方位置に取り付けられている。
【００３８】
具体的には、この持ち手装着帯部１１は、左右に一か所ずつ上下方向に持ち手２の先端を挿通可能な挿通穴が形成されるように前パネル部４に逢着されている。そして、この挿通穴の外側には、後述する巻き付け装着帯３３の面ファスナ３５ａと係合する面ファスナ３５ｂが備えられている。なお、図４（ａ）では、持ち手装着帯部１１に持ち手２（巻き付け装着帯３３）を取り付けた状態を図示しており、面ファスナ３５ｂは描かれていないが、面ファスナ３５ｂの取り付け位置は、後述する後パネル部５の持ち手装着帯部１９と同様である（図５（ａ）参照）。
【００３９】
なお、図４（ａ），（ｂ）において、符号１２は前ポケットを、また、符号１３は内ポケットをそれぞれ示している。
【００４０】
後パネル部５は、かばん本体１をリュックサックとして使用した際に、背中側に面するパーツであって、図５（ａ）に示すように、前パネル部４と同じ略矩形を呈する形状とされ、前パネル部４と同様に、布や皮革など屈曲自在な柔軟性を有する部材で構成されている。
【００４１】
そして、この後パネル部５にも、その上縁５ａと、左右両側縁５ｂ，５ｄおよび下縁５ｃのそれぞれに、マチ形成帯部６の他方の側縁６ｄと係合分離可能な線ファスナ１５ａ，１６ａが備えられている。
【００４２】
具体的には、後パネル部５の上縁５ａに備えられる線ファスナ１５ａは、マチ形成帯部６において、かばん本体１の天井部を構成する部位（図６符号Ａで示すエリア）の他方の側縁６ｄに備えられる線ファスナ１５ｂと対をなすオープンファスナ１５の形態とされている。
【００４３】
一方、後パネル部５の左右両側縁５ｂ，５ｄおよび下縁５ｃに備えらえる線ファスナ１６ａは、マチ形成帯部６において、かばん本体１の両側部および底部を構成する部位（図６符号Ｂ〜Ｄで示すエリア）の他方の側縁６ｄに備えられる線ファスナ１６ｂと対をなすオープンファスナ１６の形態とされる。なお、この線ファスナ１６ａは、後パネル部５の左側縁５ｂから下縁５ｃを経て右側縁５ｄにかけて連続する１本のファスナで構成されている。
【００４４】
そして、本実施形態では、上述した前パネル部４と同様に、後パネル部５は、その上縁５ａが、それぞれ左右両側縁５ｂ，５ｄの上端から上方に突出する台形状を呈し、この突出する台形状の部分が後パネル部５の裏面側、すなわち、かばん本体１の内側に折り曲げ可能なフラップ部１７を構成している。
【００４５】
このように後パネル部５にフラップ部１７を設けたのは、上述した前パネル部４と同様に、かばん本体１をトートバックとして使用する際（図２参照）に、かばん本体１の上端開口部の周縁に線ファスナ１５ａのムシが露出しないようにするためである。したがって、かばん本体１をトートバックとして使用する場合、このフラップ部１７を裏面側に折り曲げることで、線ファスナ１５ａのムシの露出が防止される。
【００４６】
これに関連して、後パネル部５の裏面において、折り返されたフラップ部１７の上縁５ａに対応する位置には、フラップ部１７の上縁５ａに備えられた線ファスナ１５ａと係合分離可能に構成されたフラップ固定用の線ファスナ１８が備えられており、フラップ部１７の線ファスナ１５ａをこの線ファスナ１８に係合させることによって、フラップ部１７を後パネル５の裏面に固定することができるようになっている。
【００４７】
また、後パネル部５の表面には、前パネル部４と同様に、着脱可能に持ち手２を取り付けるための持ち手装着帯部１９が備えられている。この持ち手装着帯部１９は、前パネル部４の持ち手装着帯部１１と同様に、フラップ部１７の折り返し位置である折り目５ｅに沿って設けられる矩形帯状の部材で構成されており、折り目５ｅ近くのやや下方位置に取り付けられている。
【００４８】
具体的には、この持ち手装着帯部１９は、左右に一か所ずつ上下方向に持ち手２の先端を挿通可能な挿通穴が形成されるように後パネル部５に逢着されている。そして、この挿通穴の外側には、後述する巻き付け装着帯３３の面ファスナ３５ａと係合する面ファスナ３５ｂが備えられている。
【００４９】
また、後パネル部５の表面の上部および下部には、それぞれ肩ベルト３，３を着脱自在に装着するための肩ベルト装着具２０ａ，２１ａが備えられている。具体的には、後パネル部５の上部に備えられる肩ベルト装着具２０ａは、図５（ａ）に示すように、左右に開く上向きでフラップ部１７に取り付けられている。また、下部に備えられる肩ベルト装着具２１ａは、後パネル部５の下端の左右両側に左右に開く下向きで備えられる。
【００５０】
ここで、図７に肩ベルト３の一例を示す。この図に示すように、本実施形態の肩ベルト３は、長手方向の両端にそれぞれ肩ベルト装着具２０ａ，２１ａと対をなしてこれらと着脱自在に係合する係合部２０ｂ、２１ｂを備えいる。なお、図示例では、肩ベルト装着具２０ａ，２１ａと、これに係合する係合部２０ｂ、２１ｂとして、サイドリリース式のバックルを用いた場合を示したが、肩ベルト３を後パネル部５に着脱自在に取り付け可能なパーツであれば、バックル以外の部材を用いることも可能である。
【００５１】
図５において、符号２２は後ポケットを、また、符号２３および２４は内ポケットをそれぞれ示している。
【００５２】
マチ形成帯部６は、前パネル部４と後パネル部５との間に着脱自在に介装されることによって、かばん本体１にマチを形成するパーツであって、図６に示すように、細長い矩形帯状を呈する形状とされ、前パネル部４および後パネル部５と同様に、布や皮革など屈曲自在な柔軟性を有する部材で構成されている。
【００５３】
そして、このマチ形成帯部６の長手方向の両端（図６の上下両端）６ａ、６ｃには、これら両端縁６ａ，６ｃを係合分離可能に連結する連結用の線ファスナ２６ａ，２６ｂが備えられている。すなわち、マチ形成帯部６の上縁６ａと下縁６ｃとには対をなすオープンファスナ２６が備えられており、これらを係合することによって、マチ形成帯部６の上下両端を連結できるようになっている。
【００５４】
また、マチ形成帯部６の長手方向に沿った両側には、上述したように、それぞれ、線ファスナ７ｂ，８ｂと線ファスナ１５ｂ，１６ｂが備えられている。具体的には、マチ形成帯部６において、かばん本体１の天井部を構成する部位（図６符号Ａで示すエリア）の両側に線ファスナ７ｂ、１５ｂが備えられるとともに、かばん本体１の両側部および底部を構成する部位（図６符号Ｂ〜Ｄで示すエリア）の両側には線ファスナ８ｂ、１６ｂが備えられている。
【００５５】
そして、このように構成されたマチ形成帯部６において、前パネル部４および後パネル部５の各上縁４ａ，５ａに係合される帯状の部位、すなわち、かばん本体１の天井部を構成する部位（図６符号Ａで示すエリア）には、長手方向にスリット状に開口する開口穴２７が形成されるとともに、該開口穴２７を開閉自在に閉じる上部開閉用の線ファスナ２８が備えられている。
【００５６】
持ち手２は、かばん本体１をトートバッグまたは書類かばんとして使用する際に、かばん本体１に取り付けて使用する手提げ用のハンドルであって、前パネル部４および後パネル部５のそれぞれに取り付けられるようになっている。
【００５７】
本実施形態では、持ち手２は、図２に示すように、ハンドル本体３０と、ハンドル本体３０の両端にそれぞれ備えられる持ち手装着部３１とを主要部として構成される。
【００５８】
ハンドル本体３０は、細長い帯状に構成され、前パネル部４などと同様に、布や皮革など屈曲自在な柔軟性を有する部材で構成される。
【００５９】
持ち手装着部３１は、ハンドル本体３０とかばん本体１とを着脱可能に連結する連結手段であって、本実施形態では、ハンドル用バックル３２と、持ち手装着帯部１１，１９に装着する巻き付け装着帯３３とで構成される。
【００６０】
ハンドル用バックル３２は、着脱自在な一対のバックル構成体３２ａ，３２ｂで構成されており、図２に示すように、一方のバックル構成体３２ａがハンドル本体３０に取り付けられるとともに、他方のバックル構成体３２ｂが巻き付け装着帯３３に取り付けられている。なお、図示例では、このハンドル用バックル３２として、サイドリリース式のバックルを用いている。
【００６１】
巻き付け装着帯３３は、図８（ａ），（ｂ）に示すように、布や皮革など屈曲自在な柔軟性を有する帯状の部材で構成されており、上記バックル構成体３２ｂのフレーム軸３２ｃを巻き込んで二つ折り状態でフレーム軸３２ｃ付近で逢着され、短尺の上片部３３ａと長尺の下片部３３ｂとが形成されている。
【００６２】
そして、上片部３３ａと下片部３３ｂには、下片部３３ｂの先端側を折り返して二つ折りにした状態で両者を係合分離可能に係合させるホック３４が備えられている。具体的には、上片部３３ａにバネを備えたホック構成体３４ａが備えられるとともに、下片部３３ｂの先端側にゲンコを備えたホック構成体３４ｂが備えられている。
【００６３】
また、下片部３３ｂの先端の表側には、上述した持ち手装着帯部１１，１９に備えられた面ファスナ３５ｂと係合する面ファスナ３５ａが備えられている。なお、この下片部３３ｂに備えれる面ファスナ３５ａはフック側のファスナで構成され、持ち手装着帯部１１，１９側の面ファスナ３５ｂはループ側のファスナで構成される。
【００６４】
持ち手２のかばん本体１への取り付けは、図８（ｃ）に示すように、まず、持ち手装着帯部１１，１９の挿通穴に巻き付け装着帯３３の下片部３３ｂを挿通させ、その状態で、下片部３３ｂの先端側を折り返し、下片部３３ｂの面ファスナ３５ａを持ち手装着帯部１１，１９の面ファスナ３５ｂに係合させる。そして、次に、上片部３３ａを下片部３３ｂに被せ、この状態でホック３４を係合し、持ち手２をかばん本体１に取り付ける。
【００６５】
このように、面ファスナ３５の面接合と巻き付け装着帯３３による環状連結とによって持ち手２がかばん本体１に二重に取り付けられるので、持ち手２を確実かつ強固にかばん本体１に取り付けることができる。その一方、ホック３４の係合を解除し、面ファスナ３５の接合を解除することで持ち手２をかばん本体１から取り外すことができるので、持ち手２の取り外しを容易に行うこともできる。
【００６６】
しかも、持ち手２は、巻き付け装着帯３３に加えてハンドル用バックル３２を備えているので、このバックル３２の係合を解除することで、巻き付け装着帯３３をかばん本体１に残しつつ、ハンドル本体３０のみを取り外すことも可能である（図４（ａ）参照）。特に、本実施形態では、ハンドル用バックル３２として、サイドリリース式のバックルを用いているので、ハンドル本体３０の取り外しを極めて容易に行うことができる。
【００６７】
肩ベルト３は、かばん本体１をリュックサックとして使用する際に、かばん本体１に取り付けて使用する背負い用のショルダーストラップであって、後パネル部５に取り付けられるようになっている。
【００６８】
肩ベルト３は、図７に示すように、ベルト本体３６と、上述した係合部２０ｂ、２１ｂを主要部として備えいる。図７では、これらに加えて、かばん本体１を背負う際のクッションとなるクッションパッド３７を備えた場合を示している。
【００６９】
次に、このように構成されたかばんの使い方について説明する。
Ａ：リュックサックとして使用する場合
この場合、図１に示すように、前パネル部４および後パネル部５のフラップ部９，１７を双方とも引き起こした状態で、前パネル部４とマチ形成帯部６の一方の側縁６ｂとを線ファスナ７，８を使って係合するとともに、マチ形成帯部６の他方の側縁６ｄと後パネル部５とを線ファスナ１５，１６を使って係合し、さらに、マチ形成帯部６の両端を線ファスナ２６を使って係合する。これにより、かばん本体１は、マチ形成帯部６の幅に応じたマチを備えた収納空間を形成する。
【００７０】
そして、後パネル部５に設けられた左右一対の肩ベルト装着具２０ａ，２１ａに肩ベルト３の係合部２０ｂ、２１ｂをそれぞれ装着する。これにより、リュックサックが完成する。なお、かばん本体１をリュックサックとして使用する場合、手提げ用の持ち手２は不要であるので取り外しておくのが原則的な使い方であるが、持ち手２を装着した状態またはハンドル本体３０のみを取り外した状態で使用しても差し支えはない。
【００７１】
Ｂ：トートバックとして使用する場合
この場合は、図２に示すように、前パネル部４および後パネル部５のフラップ部９，１７を双方とも内側に折り返して使用する。具体的には、フラップ部９，１７を折り返し、この状態で線ファスナ１０，１８を使って、フラップ部９，１７をそれぞれ前パネル部４および後パネル部５の裏面に係合させる。
【００７２】
次に、この状態で、前パネル部４とマチ形成帯部６の一方の側縁６ｂのＢ〜Ｄのエリアを線ファスナ８を使って係合するとともに、マチ形成帯部６の他方の側縁６ｄのＢ〜Ｄのエリアと後パネル部５とを線ファスナ１６を使って係合する。その際、残余のマチ形成帯部６（すなわち、図６の符号Ａのエリアにあたる帯状部分）はかばん本体１の内部に落とし込んでおく。
【００７３】
そして、この状態で、前パネル部４および後パネル部５の双方に、それぞれ持ち手２を装着する。これにより、トートバックが完成する。なお、かばん本体１をトートバックとして使用する場合、背負い用の肩ベルト３は不要であるので取り外した状態で使用する。
【００７４】
Ｃ：書類かばんとして使用する場合
この場合も図３に示すように前パネル部４および後パネル部５のフラップ部９，１７を双方とも内側に折り返して使用する。折り返したフラップ部９，１７を前パネル部４および後パネル部５の裏面に係合させるのはトートバックのときと同じである。
【００７５】
そして、次に、前パネル部４と後パネル部５を、線ファスナ８ａと線ファスナ１６ａとを使って係合する。すなわち、この場合、マチ形成帯部６を使わずに前パネル部４と後パネル部５とを直接係合する。
【００７６】
そして、前パネル部４および後パネル部５の双方に、それぞれ持ち手２を装着する。これにより、マチのない手提げかばんである書類かばんが完成する。なお、かばん本体１を書類かばんとして使用する場合も肩ベルト３は不要であるので取り外した状態で使用する。
【００７７】
このように、本発明に係るかばんによれば、かばん本体１を手提げかばん（トートバックや書類かばん）として使用したり、リュックサックとして使用したりすることができるとともに、かばん本体１のマチ幅の広狭をマチ形成帯部６の有無によって適宜調節できるので、使用の目的や用途などに合わせて自由にカスタマイズすることができ、使い勝手の優れたかばんを提供することができる。
【００７８】
また、本発明に係るかばんによれば、手提げ用の持ち手２がフラップ部９，１７の折り目近くの下方位置に取り付けられるので、手提げかばんとして使用する場合とリュックサックとして使用する場合とで、かばん本体１を同じ向きで使用することができる。そのため、かばん本体１の使い方を変更しても、かばん本体１内に収容された荷物がかばん本体１内で転がったりすることがない。つまり、リュックサックとしての実用性を保ちつつ、手提げかばんとしても利用することができる。
【００７９】
なお、上述した実施形態はあくまでも本発明の好適な実施態様を示すものであって、本発明はこれらに限定されることなくその範囲内で種々の設計変更が可能である。
【００８０】
たとえば、上述した実施形態では、前パネル部４および後パネル部５を略矩形に構成した場合を示したが、たとえば、楕円形など矩形以外の形状で構成することも可能である。また、同様に、上述した実施形態では、フラップ部９，１７を台形状に形成した場合を示したが、フラップ部９，１７の形状は適宜変更可能であり、たとえば、上方に突出する円弧状に構成することなども可能である。
【００８１】
また、上述した実施形態では、持ち手２を構成するハンドル本体３０を柔軟性のある部材を使って帯状に形成した場合を示したが、たとえば、プラスチックなどの硬質な部材を用いてＵ字状に形成するなど、ハンドル本体３０の材質、形状は適宜変更可能である。
【００８２】
さらに、上述した実施形態では、かばん本体１を手提げ用と背負い用の２通りで使用する場合を示したが、たとえば、かばん本体１に着脱可能な斜め掛け用のストラップを取り付け、斜め掛けにも対応できるように構成することも可能である。
【符号の説明】
【００８３】
１                      かばん本体
２                      持ち手
３                      肩ベルト
４                      前パネル部
５                      後パネル部
６                      マチ形成帯部
５ａ，６ａ              前パネル部及び後パネル部の上縁
５ｂ，５ｄ，６ｂ，６ｄ  前パネル部及び後パネル部の左右両側縁
５ｃ，６ｃ              前パネル部及び後パネル部の下縁
７，８                  前パネル部とマチ形成帯部を係合する線ファスナ
９，１７                フラップ部
１０，１８              フラップ固定用の線ファスナ
１１，１９              持ち手装着帯部
１５，１６              後パネル部とマチ形成帯部を係合する線ファスナ
２６                    連結用の線ファスナ
２７                    開口穴
２８                    上部開閉用の線ファスナ
３２                    ハンドル用バックル
３３                    巻き付け装着帯
３４                    ホック
３５                    面ファスナ
【図１】
2020039450.tif 000003
【図２】
2020039450.tif 000004
【図３】
2020039450.tif 000005
【図４】
2020039450.tif 000006
【図５】
2020039450.tif 000007
【図６】
2020039450.tif 000008
【図７】
2020039450.tif 000009
【図８】
2020039450.tif 000010